(57)【要約】【課題】視聴不可の番組を選局したとき、視聴契約に必要な情報を表示する。【解決手段】選局した有料番組の視聴が不可であるとき、つまり当該有料番組に対して視聴契約を結んでいないときには、表示手段であるテレビ画面にその旨を表示する。同時に、視聴契約に必要な情報を表示する。必要な情報とは、視聴者固有のＩＤ情報や当該有料番組の提供者である放送事業者の情報である。これで視聴契約に必要な情報の確認が容易になる。視聴者は画面に表示されたＩＤ情報または放送事業者情報を見ながら、関係する機関（放送事業者やその管理運営機関など）にアクセスし、表示されたＩＤ情報や放送事業者情報を通知することで、当該有料番組（あるいは有料チャンネル）に対する視聴契約を実行できる。【選択図】        図４
2005123877.tif 000002
【特許請求の範囲】
【請求項１】
デジタル放送を受信するための受信手段と、
前記受信手段により受信したデジタル信号を復号する復号手段と、
予め契約した視聴者だけが視聴できる有料番組を視聴するための契約情報を記憶した記憶手段と、
選局された有料番組を視聴できるかどうかを判断する手段と、
前記判断手段により選局した番組の視聴が不可と判断されたとき、前記判断手段の判断結果とともに、視聴契約に必要な情報を表示するための信号を出力する表示信号出力手段を有する
ことを特徴とするデジタル放送受信装置。
【請求項２】
前記視聴契約に必要な情報は、契約者固有の識別情報である
ことを特徴とする請求項１記載のデジタル放送受信装置。
【請求項３】
前記記憶手段は、ＩＣカードである
ことを特徴とする請求項１記載のデジタル放送受信装置。
【請求項４】
前記デジタル放送受信装置は、前記ＩＣカードが正常なＩＣカードであるか否かを判断する第２の判断手段とをさらに備え、
前記第２の判断手段により、正常なＩＣカードではないと判断されたとき、表示信号出力手段は、正常なＩＣカードの装着を促すための情報を表示するための信号を出力する
ことを特徴とする請求項３記載のデジタル放送受信装置。
【請求項５】
前記視聴契約に必要な情報は、前記有料番組に関する放送事業者を識別するための放送事業者情報である
ことを特徴とする請求項１記載のデジタル放送受信装置。
【請求項６】
前記放送事業者情報は、受信した番組情報より抽出した情報である
ことを特徴とする請求項６記載のデジタル放送受信装置。
【請求項７】
デジタル放送信号を受信し、受信したデジタル放送信号に対応したデジタルデータを出力するステップと、
ＩＣカードインタフェース部に装着されたＩＣカードに記憶された契約情報と、選局された有料番組に含まれる契約情報とが対応するかどうかを判別するステップと、
前記ＩＣカードに含まれる契約情報と前記選局された契約情報とが対応せず、前記有料番組の視聴が不可であるとき、視聴契約に必要な情報を表示するための信号を出力するステップと、
からなることを特徴とするデジタル放送受信方法。
【請求項８】
前記視聴契約に必要な情報は、契約者固有の識別情報と、選局した有料番組を提供する放送事業者情報である
ことを特徴とする請求項７記載のデジタル放送受信方法。
【発明の詳細な説明】
【技術分野】
【０００１】
この発明は、例えば地上デジタル放送波であるデジタル放送の受信装置およびその受信方法に関する。詳しくは、予め契約した視聴者だけが視聴できる有料番組を視聴するための契約情報を、選局した番組ごとに判断し、判断結果が視聴不可であるときには、当該有料番組を視聴するための契約情報を表示できるようにして、有料放送契約手続きが容易に行えるようにしたものである。
【背景技術】
【０００２】
近年普及しているデジタル放送サービスでは、番組を提供する放送事業者との間で契約を行った視聴者に限定してその番組を視聴することを可能にする有料放送サービス（限定受信サービス）が広く行われている。このような有料放送サービスとして提供されている番組には、視聴契約を結んでいない視聴者が視聴することを防ぐためにスクランブルが施されている。
【０００３】
この種デジタル放送受信装置においては、ＩＣ(Integrated Circuit)カードインタフェース部に装着された、限定受信処理に必要な契約情報やスクランブル鍵の情報を管理するＩＣカードを使用する場合がある。その場合には装着されたＩＣカードの契約情報を参照することで限定受信が可能かどうかが判断される（例えば特許文献１）。
【０００４】
特許文献１に記述されているように、視聴契約を結んでいない視聴者は有料番組を視聴することはできない。
【０００５】
【特許文献１】特開２００２−４４６３８号公報
【発明の開示】
【発明が解決しようとする課題】
【０００６】
視聴契約を結んでいない視聴者が有料番組を視聴しようとする場合には、画面上に契約が存在しないことを示すメッセージあるいは契約を促すようなメッセージが表示されることが多い。
【０００７】
したがって視聴者がその番組を視聴するためには、番組を提供する放送事業者に対し、その放送サービスが運用している限定受信システム（ＣＡＳ）上で定義されたその視聴者を識別するための識別情報（ＩＤ情報）を通知して契約を結ぶ必要がある。
【０００８】
このＩＤ情報を視聴者が確認するためには、通常あまり使用しない、つまり視聴者にとっては不慣れな操作を行う場合が多い。例えば、購入直後に装着したままであって、通常出し入れする必要性が少ない上述したＩＣカードを抜き取り、その表面に印字してあるＩＤ情報（記号、数字などで記述されている）を、放送事業者などに通知することで、視聴契約を結ぶことになる。
【０００９】
あるいはデジタル放送受信装置の初期設定メニューを起動し、このメニュー画面上で指示された操作を何度か繰り返しながら、ＩＣカードより読み取ったＩＤ情報を画面に表示して、このＩＤ情報を放送事業者などに伝えることで視聴契約を結ぶことになる。
【００１０】
このように従来では、有料放送の契約手続きが意外と煩雑で、有料放送の契約手続きを円滑に行うことを妨げる原因の一つになっていた。このため、契約が存在せず番組が視聴できない場合に、視聴者が特に意識して特別な操作をすることなく、視聴契約に必要なＩＤ情報などを簡単に確認できれば、有料放送契約手続きが容易になり、ユーザの利便性の向上が期待できる。
【００１１】
また、複数の有料放送事業者が限定受信サービスを提供しているような場合、視聴者は放送事業者との契約を行うにあたり、自分の視聴したいサービスを提供する放送事業者を特定する必要が生じる。この場合においても、その限定受信サービスを提供する放送事業者を特定するための情報を容易に確認することができれば、視聴者が有料放送契約手続きを更に容易にすることが期待できる。
【００１２】
そこで、この発明はこのような従来の課題を解決したものであって、視聴契約がなされていないチャンネルや、番組を選局したようなときには、視聴者のＩＤ情報や、その放送事業者情報などの視聴契約に必要な情報を画面に表示できるようにして、ＩＤ情報や放送事業者を容易に認識できるようにしたものである。
【課題を解決するための手段】
【００１３】
上述した課題を解決するため、請求項１に記載したこの発明に係るデジタル放送受信装置では、デジタル放送を受信するための受信手段と、
前記受信手段により受信したデジタル信号を復号する復号手段と、
予め契約した視聴者だけが視聴できる有料番組を視聴するための契約情報を記憶した記憶手段と、
選局された有料番組を視聴できるかどうかを判断する手段と、
前記判断手段により選局した番組の視聴が不可と判断されたとき、前記判断手段の判断結果とともに、視聴契約に必要な情報を表示するための信号を出力する表示信号出力手段を有することを特徴とする。
【００１４】
また、請求項７に記載したこの発明に係るデジタル放送受信方法では、デジタル放送信号を受信し、受信したデジタル放送信号に対応したデジタルデータを出力するステップと、
ＩＣカードインタフェース部に装着されたＩＣカードに記憶された契約情報と、選局された有料番組に含まれる契約情報とが対応するかどうかを判別するステップと、
前記ＩＣカードに含まれる契約情報と前記選局された契約情報とが対応せず、前記有料番組の視聴が不可であるとき、視聴契約に必要な情報を表示するための信号を出力するステップとからなることを特徴とする。
【００１５】
この発明では、選局した有料放送の視聴が不可であるとき、つまり当該有料番組（あるいは有料チャンネル）に対して視聴契約を結んでいないときには、表示手段であるテレビモニタ（テレビ映像画面）にその旨を表示する。
【００１６】
同時に、視聴契約に必要な情報を表示する。視聴契約に必要な情報とは、視聴者固有の識別情報であるＩＤ情報や、当該有料放送の提供者である放送事業者の情報である。視聴契約に必要な情報としては、ＩＤ情報だけ、あるいは放送事業者情報だけでもよい。
【００１７】
視聴者は画面に表示されたＩＤ情報または放送事業者情報を見ながら、関係する機関（放送事業者やその管理運営機関など）にアクセスし、表示されたＩＤ情報や放送事業者情報を通知することで、当該有料番組（あるいは有料チャンネル）に対する視聴契約を遂行することができる。
【００１８】
ＩＤ情報を確認するためにＩＣカードを取り出すとき、静電気などによるＩＣカードの破損の可能性があるが、この例ではＩＣカードを装着したままでも、視聴契約に必要な情報を入手できるため、静電気などによるＩＣカードの破損事故は殆ど発生しない。
【００１９】
また、視聴契約に必要な情報を関係機関に的確に伝達できるため、有料放送を行っている事業者側のカスタマーサポート窓口におけるサポート業務の軽減や、視聴者が支払う通信コストの軽減が期待できる。
【発明の効果】
【００２０】
この発明によれば、視聴契約をしていない有料放送（番組）を選局したときには、視聴契約がなされていない旨の表示がなされると共に、視聴契約に必要な情報（視聴者のＩＤ情報、放送事業者の情報など）が表示されるので、画面から直ちに視聴契約に必要な情報を被契約者側に通知することができる。同じ放送事業者であるときには、表示されたＩＤ情報のみを被契約者側に通知できる。放送事業者が異なる場合には、有料番組を選局することによって取得できる当該有料番組を提供している放送事業者の情報を利用して視聴契約に臨むことができる。これによって、円滑な視聴契約を実現でき、ユーザである視聴者の利便性が向上する。
【発明を実施するための最良の形態】
【００２１】
以下、図面を参照しながら、この発明の実施例について説明する。図１はこの発明の実施例であるデジタル放送受信装置１００の構成を示している。適用できるデジタル放送としては衛星放送の他に地上デジタル放送波（地上波デジタル放送）なども考えられる。
【００２２】
図１に示すこのデジタル放送受信装置１００は、全体の動作を制御するためのコントローラとしてのＣＰＵ(Central Processing Unit)１０１を有している。このＣＰＵ１０１は、コントロール系および情報系のバス１０２に接続されている。バス１０２には、ＣＰＵ１０１の動作に必要なデータや、プログラム等が格納されたフラッシュメモリ１０３と、ＣＰＵ１０１の制御に伴って生成されるデータや、後述するようにＭＰＥＧ２トランスポート・ストリームＴＳより取得される付加データ（番組情報）等を格納したり、ワーキングエリアとして用いられるＤＲＡＭ（Dynamic Random Access Memory）１０４とが接続されている。
【００２３】
デジタル放送受信装置１００は、複数の操作キー等が配された操作部１０５と、液晶表示素子等で構成され、当該受信装置１００の状態等を表示する表示部１０６と、有料番組などに対する契約情報などの情報が記憶された記憶手段であるＩＣカード１０７を装着し、これとの通信を行うＩＣカードインタフェース部１０８とを有している。これら操作部１０５、表示部１０６およびインタフェース部１０８は、それぞれＣＰＵ１０１に接続されている。
【００２４】
ＩＣカード１０７は、上述したように限定受信処理に必要な、放送事業者側より提供される契約情報（内部契約情報）や、契約者を識別するために使用される識別情報（ＩＤ情報）を管理すると共に、ＣＰＵ１０１よりインタフェース部１０８を介して送られてくる限定受信情報（受信契約情報）に基づき視聴の可／不可を判断し、視聴可の場合には、復号されたスクランブル解除用の鍵情報（スクランブルキーＫｓ）をインタフェース部１０８を介してＣＰＵ１０１に送る機能を持っている。
【００２５】
ＩＣカード１０７はＣＰＵ１０１との間でデータ（情報）の書き込みや読み出しが行える記録媒体であって、この例では放送事業者の限定受信方式に対応したものである。ＩＣカード１０７は、例えば外部端子付きＩＣカードの国際規格ＩＳＯ７８１６に準拠しており、ＩＣカードと受信装置間の通信プロトコルにその放送事業者が使用する限定受信方式で定めた専用のコマンド・レスポンスを付加定義したものである。
【００２６】
したがってこのデジタル放送受信装置１００には、放送事業者からのデジタル放送信号を受信するアンテナ１１１と、このアンテナ１１１で受信された複数のＲＦチャネルのデジタル放送信号より所定のＲＦチャネルの放送信号を選択し、そのＲＦチャネルの放送信号に対応したＭＰＥＧ２（Moving Picture Experts Group 2）トランスポート・ストリームＴＳを得るチューナ１１２が設けられている。
【００２７】
ユーザの操作部１０５の操作によりデジタル放送に係るプログラム（番組）の選局要求がある場合には、ＣＰＵ１０１は、チューナ１１２を動作状態としてそのプログラムを含むデジタル放送信号を選択するように制御し、このチューナ１１２よりトランスポート・ストリームＴＳを出力する。
【００２８】
また、このデジタル放送受信装置１００は、チューナ１１２より出力されるトランスポート・ストリームＴＳ（デジタルデータ）を構成する、スクランブルされているビデオデータやオーディオデータのパケットに対して、スクランブルの解除処理をするデスクランブル部１１４と、このデスクランブル部１１４より出力されるトランスポート・ストリームＴＳより、ユーザの操作部１０５の操作によって指定されたプログラム（番組）のビデオデータやオーディオデータのパケットを分離すると共に、そのプログラムの付加データ（受信契約情報を含む番組情報）のパケットを分離するデマルチプレクス部１１５とを有している。この付加データはバス１０２を介してＣＰＵ１０１に供給される。
【００２９】
このデジタル放送受信機１００はさらに、デマルチプレクス部１１５で分離されたビデオデータやオーディオデータのパケットを入力し、データ伸長処理をしてビデオデータおよびオーディオデータを出力するＭＰＥＧデコード部１１６と、このデコード部１１６より出力されるビデオデータを処理してＮＴＳＣ方式の映像信号ＳＶを得るＮＴＳＣエンコード部１１７と、この映像信号ＳＶを出力する出力端子１１８と、ＭＰＥＧデコード部１１６より出力されるオーディオデータをデジタル信号からアナログ信号に変換して音声信号ＳＡを得る音声信号Ｄ／Ａ部１１９と、この音声信号ＳＡを出力する出力端子１２０とを有している。映像信号ＳＶと音声信号ＳＡは共にテレビモニタ（図示はしない）に供給される。
【００３０】
上述したデスクランブル部１１４、デマルチプレクス部１１５およびＭＰＥＧデコード部１１６は、それぞれバス１０２に接続されている。なお、ＭＰＥＧデコード部１１６は、ＯＳＤ(On Screen Display)処理部１１６ａを含んでおり、視聴不可のときの内容などがＯＳＤ表示される。ＯＳＤ表示はテレビモニタが使用される。
【００３１】
ここで、デジタル放送信号は特殊なスクランブルキーＫｓによってスクランブルがかけられて有料番組となされた状態で放送局より送出されるが、このスクランブルキーＫｓは暗号化された状態でデジタル放送信号に多重される。その一例を図２を参照して説明する。
【００３２】
図２に示すデジタル放送信号送出処理部１３０にあって、デジタル化された映像信号Ｖと音声信号Ａがスクランブル部１３１に供給され、スクランブルキー保存部１３２から出力されたスクランブルキーＫｓによって映像信号Ｖと音声信号Ａがそれぞれスクランブルされる。スクランブルされた映像信号Ｖと音声信号Ａは後段の多重化部１３５に供給される。
【００３３】
スクランブルに使用したスクランブルキーＫｓはワークキー保存部１３３ａから出力されたワークキーＫｗによって暗号化部１３４において暗号化される。暗号化されたワークキーＫｗは共通情報ＥＣＭ（Entitlement Central Message）として多重化部１３５に供給される。
【００３４】
ワークキー保存部１３３ａは契約情報保存部１３３ｂと共に内部情報部１３３を構成する。ここに契約情報とは、視聴者との間で交わした契約情報（視聴契約チャンネル、視聴契約番組、視聴契約期間など）と、視聴者を識別するための視聴者固有の識別情報（ＩＤ情報）などを含む。
【００３５】
契約情報とワークキーＫｗはマスターキー保存部１３６から出力されたマスターキーＫｍを用いて暗号化部１３７で暗号化される。暗号化された契約情報とワークキーＫｗは個別情報ＥＭＭ（Entitlement Management Message）として多重化部１３５に供給されて、上述した映像信号Ｖ、音声信号Ａおよび共通情報ＥＣＭと共に多重化されてトランスポートストリームデータＴＳとなされる。
【００３６】
このトランスポートストリームデータＴＳは変調部１３８において例えばＰＳＫ変調されたのち出力部１３９に供給されてデジタル放送用の送信信号となされる。
【００３７】
一方、このようなトランスポートストリームデータＴＳを受信したとき、そのスクランブルを解除して元のアナログの映像信号ＳＶと音声信号ＳＡとするには、ＩＣカード１０７に多重化された共通情報ＥＣＭと個別情報ＥＭＭを供給して、ＣＰＵ１０１の制御の元で、デスクランブルに必要なスクランブルキーＫｓが復号される。
【００３８】
そのため、ＩＣカード１０７内での処理例を、機能的に表した図３のブロック図を参照して説明する。デマルチプレクス部１１５において、多重化された共通情報ＥＣＭと個別情報ＥＭＭがそれぞれ映像信号Ｖや音声信号Ａから分離される。分離された多重化情報のうち暗号化された個別情報ＥＭＭはバス１０２を介して第１の復号部１４１に供給される。第１の復号部１４１にはＩＣカード１０７内のメモリ部１４２に保存されているマスターキーＫｍも供給され、このマスターキーＫｍを利用して個別情報ＥＭＭが復号される。
【００３９】
個別情報ＥＭＭはワークキーＫｗと契約情報とが暗号化されたものであるから、復号することによって個別情報ＥＭＭとワークキーＫｗがそれぞれ得られる。復号されたワークキーＫｗは第２の復号部１４３に供給される。第２の復号部１４３には暗号化された共通情報ＥＣＭが供給されているので、この共通情報ＥＣＭがワークキーＫｗによって復号され、元のスクランブルキーＫｓが復号される。スクランブルキーＫｓはスイッチング手段１４６に供給される。
【００４０】
一方、復号された契約情報（受信契約情報）は、ＩＣカード１０７内のメモリ部１４２に保存されている契約情報（内部契約情報）と判別部１４５において判別処理される。したがってこの判別部１４５は選局された有料番組を視聴できるかどうかを判断する手段として機能し、それぞれの契約情報が一致したとき、つまりそれぞれの契約情報が対応しているとき、その一致情報に基づいてスイッチング手段１４６がオン状態に制御される。スイッチング手段１４６はＩＣカード１０７の出力部に相当するものであるから、スクランブルキーＫｓはバス１０２を介してデスクランブル部１１４に供給される。デスクランブル部１１４ではこのスクランブルキーＫｓに基づいてスクランブルされた映像信号Ｖと音声信号Ａのデスクランブル処理が実行される。
【００４１】
上述した一致情報は選局された番組が有料番組であるとき、視聴可を示す情報として利用され、もし判別部１４５において、受信契約情報と内部契約情報とが一致しなかったときは視聴不可を示す不一致情報が生成される。そのため、スイッチング手段１４６は閉じず、スクランブルキーＫｓはデスクランブル部１１４には供給されないので、選局された有料番組は視聴できないことになる。
【００４２】
受信契約情報と内部契約情報とが一致しなかったときには、この不一致情報がバス１０２を介してＣＰＵ１０１に供給され、これに基づいて視聴不可を示す表示処理がなされる。同時に、視聴契約に必要な情報の表示処理がなされる。視聴契約に必要な情報とは、視聴者固有の識別情報であるＩＤ情報や、当該有料放送の提供者である放送事業者の情報である。契約に必要な情報としては、ＩＤ情報か、放送事業者情報の何れかであってもよい。
【００４３】
上述した視聴不可を示す表示処理および視聴契約に必要な情報の表示処理は、いずれも表示信号出力処理に相当するもので、したがってＩＣカード１０７を含むＣＰＵ１０１の処理系が、表示信号出力手段に相当することになる。
【００４４】
視聴者は画面に表示されたＩＤ情報または放送事業者情報を見ながら、関係する機関（放送事業者やその管理運営機関など）にアクセスし、表示されたＩＤ情報や放送事業者情報を通知することで、当該有料番組（あるいは有料チャンネル）に対する視聴契約を遂行することができる。
【００４５】
なお、ＣＰＵ１０１では後述するように、ＩＣカードインタフェース部１０８に装着されたＩＣカード１０７が、本来のＩＣカードであるか、異なったＩＣカードであるかを判断する処理も行われる。したがって、ＩＣカード１０７を含むＣＰＵ１０１の処理系は、第２の判断手段としても機能することになる。
【００４６】
続いて、ＩＣカード１０７に記憶されている内部契約情報やＩＤ情報を利用して有料番組を視聴できるかどうかの判断を行う処理例を図４のフローチャートを参照して説明する。
【００４７】
まず、ステップＳ１によって、視聴者による選局が開始される。視聴者はリモートコントローラなどの操作部１０５を利用して、視聴したい番組（チャンネル）が選択される。ステップＳ２において、視聴者が選択した番組（チャンネル）が受信可能であるか否かが判断される。ステップＳ２において番組が受信可能でないと判断された場合には、ステップＳ３に進み、受信不可であることを視聴者に通知するためのメッセージがＯＳＤデータとして生成されて出力端子１１８から出力され、処理を終了する。
【００４８】
ステップＳ２において、番組を受信できるものと判断したときにはステップＳ４に進み、番組を構成するトランスポートストリームデータＴＳにスクランブルがかけられているか否かが判断される。ステップＳ４においてトランスポートストリームデータＴＳにスクランブルがかけられていないと判断された場合、換言すれば選局番組が有料番組でないものと判断されたときには、ステップＳ９に進み、必要なデコード処理を行い、番組の表示処理を終了する。
【００４９】
ステップＳ４において、番組を構成するトランスポートストリームデータＴＳにスクランブルがかけられていると判断したとき、つまり有料チャンネル（あるいは有料番組）が選局されたときには、ステップＳ５に進み、ＩＣカードインタフェース部１０６に正常なＩＣカードが装着されているか否かが判断される。
【００５０】
ステップＳ５において、正常なＩＣカード１０７が装着されていないと判断されるケースとしては、元々ＩＣカード１０７が装着されていない場合の他に、装着されているＩＣカード１０７が異なるＩＣカードである場合や、装着されているＩＣカード１０７が故障している場合などが考えられる。
【００５１】
異なるＩＣカードとは、放送事業者が異なる場合であって、選局された有料番組を提供する放送事業者が発行するＩＣカードと違ったＩＣカードが装着されている場合が考えられる。ＩＣカードの故障は、ＩＣカードインタフェース部１０６へのＩＣカード挿脱時に発生する静電気などのよって記憶された情報が破壊されているようなときが考えられる。
【００５２】
このようなＩＣカードの場合には、ステップＳ６に進み、正常な正しいＩＣカードを装着することを視聴者に促すためのメッセージがＯＳＤデータとして生成されて出力端子１１８から出力されたのち、処理を終了する。
【００５３】
ステップＳ５において、正常なＩＣカードが装着されていると判断された場合には、ステップＳ７に進み、装着されているＩＣカード１０７に記憶されている契約情報（内部契約情報）と、受信して得た契約情報（受信契約情報）との照合が行われる。つまり選局した有料番組を視聴するための契約情報が記憶されていて、スクランブルの解除を行うことが可能か否かが判断される。
【００５４】
ステップＳ７において、ＩＣカード１０７に選局した有料番組に関する契約情報が記憶されており、スクランブルの解除が可能と判断されたときには、ステップＳ８に進み、ＩＣカード１０７からスクランブルを解除するためのスクランブルキーＫｓが読み出され、デスクランブル部１１４ではこのスクランブルキーＫｓを用いてデスクランブル処理が実行される。デスクランブル処理が終了すると、ステップ９に進み、デマルチプレクス処理、デコード処理などが行われて、映像信号ＳＶおよび音声信号ＳＡがそれぞれ生成されるので、有料番組の表示処理を終了する。
【００５５】
ステップＳ７において、契約情報の照合結果、ＩＣカード１０７に契約情報が記憶されておらず、したがってデスクランブル処理できないために番組視聴が不可と判断された場合には、ステップＳ１０に進み、ＩＣカード１０７から固有のＩＤ情報を取得する。
【００５６】
次に、ステップＳ１１に進み、番組データからその有料番組を送出している放送事業者を特定できるような情報を取得する。例えば、受信中のトランスポートストリームデータＴＳに含まれる付加データＮＩＴ（Network Information Table）からＴＳ情報記述子を抽出して、これより放送事業者名を特定するために利用することができるＴＳ名（トランスポートストリーム名）を取得する。その後、ステップＳ１２に進み、番組の視聴契約が存在しないことにより番組視聴ができないことを視聴者に通知するためのメッセージと、ＩＣカード１０７から取得したＩＤ情報と、番組を受信して取得したトランスポートストリーム名を併せてＯＳＤデータとして生成して出力端子１１８から出力して処理を終了する。
【００５７】
ステップＳ１２で視聴者に通知する表示画面の例を図５に示す。図５の例では、受信チャンネル番号と、有料番組名が画面中央上部に表示されると共に、画面中央部には、契約外の有料番組が選局された旨のメッセージ、例えば「この番組は契約されていません。」なるメッセージが表示される。さらに、その下段には、視聴契約をするときのメッセージ、例えば「ご覧のチャンネルの放送事業者にご連絡下さい。」なるメッセージが表示される。
【００５８】
そして、その下段には視聴契約に必要な情報が表示される。図５の例では、
「放送局名・・・・・・・・・・・○×△放送
お客様のＩＤ（カードＩＤ）・・0123 4567 1234」
のような視聴者のＩＤ情報と、放送事業者名が表示される。
【００５９】
この画面表示を見て、視聴契約しようとするときには、電話などを利用して該当機関（放送事業者、その管理事業者など）にアクセスする。そして該当機関からの問い合わせに応じて視聴者のＩＤ情報などを通知すればよい。新しい契約情報はＩＣカード１０７に書き込まれるか、新しいＩＣカードによって当該有料番組を視聴できる。
【００６０】
同一の放送事業者が提供している有料番組であるときは、視聴契約に必要は情報としては最小限、視聴者固有のＩＤ情報であればよいので、放送事業者を同時に表示しないでもよい。これは同一放送事業者であっても、契約の仕方としてチャンネルごとの契約の他に、当該チャンネルのうちの特定の番組のみを選択して契約することが考えられるからである。表示すべき情報としては、ＩＤ情報に代えて放送事業者情報だけであってもよい。
【００６１】
ＩＤ情報を確認するためにＩＣカード１０７を取り出すときには、静電気などによるＩＣカードの破損の可能性があるが、この例ではＩＣカード１０７を装着したままで、視聴契約に必要な情報を入手できるため、静電気などによるＩＣカード１０７の破損事故は殆ど発生しない。
【００６２】
また、視聴契約に必要な情報を関係機関に的確に伝達できるため、有料放送を行っている事業者側のカスタマーサポート窓口におけるサポート業務の軽減や、視聴者が支払う通信コストの軽減が期待できる。
【産業上の利用可能性】
【００６３】
この発明はスクランブルがかけられている有料放送であるデジタル放送の受信装置であるテレビ受像機やチューナ、セットトップボックス（ＳＴＢ）などに適用できる。
【図面の簡単な説明】
【００６４】
【図１】この発明の実施例を示すデジタル放送受信装置の構成を示すブロック図である。
【図２】スクランブルおよび多重処理例を示すデジタル放送の送信側の処理を示すブロック図である。
【図３】受信装置におけるＩＣカードの復号化処理例を示すブロック図である。
【図４】デジタル放送の受信処理例を示すフローチャートである。
【図５】視聴不可のときの画面表示例を示す図である。
【符号の説明】
【００６５】
１００・・・デジタル放送受信機、１０１・・・ＣＰＵ、１０５・・・操作部、１０６・・・表示部、１０７・・・ＩＣカード、１０８・・・ＩＣカードインタフェース部、１１１・・・アンテナ、１１２・・・チューナ、１１３・・・切換スイッチ、１１４・・・デスクランブル部、１１５・・・デマルチプレクス部、１１６・・・ＭＰＥＧデコード部、１１６ａ・・・ＯＳＤ処理部、１１７・・・ＮＴＳＣエンコード部、１１８，１２０・・・出力端子、１１９・・・音声信号Ｄ／Ａ部
【図１】
2005123877.tif 000003
【図２】
2005123877.tif 000004
【図３】
2005123877.tif 000005
【図４】
2005123877.tif 000006
【図５】
2005123877.tif 000007